(57)【要約】【課題】  小型化、軽量化、低価格化、設置場所との親和性の向上、施工性の向上、工期の短縮化、機器の取付、保守点検作業のやり易さの向上、セキュリティ性能や電磁遮蔽性能の向上を図ったセキュリティルームを提供する。【解決手段】  通信機器などのセキュリティ対象物を収納するラック７の周囲を直にまたはスペースをあけて囲むように連結側板９を複数順次連結して取り付け、この連結側板で囲まれた室内空間の上部を閉塞するように連結側板に天井板１１を取り付け、室内空間の下部を閉塞するように連結側板に床板５を取り付け、更に連結側板で囲まれた室内空間に連結して外部に外側扉３３と内側扉３５のある出入り用前室３１を構成し、電磁遮蔽効果およびセキュリティ性能を向上する。【選択図】      図１
2005076328.tif 000002
【特許請求の範囲】
【請求項１】
セキュリティ対象物を収納して保護すべく建物内に独立して設置されるセキュリティルームであって、
セキュリティ対象物を収納可能に構成されると共に当該セキュリティルームの構造躯体の一部を構成するラックと、
このラックの周囲全体を囲むように順次連結して取り付けられる複数の連結側板と、
この複数の連結側板で囲まれる空間の上部を閉塞するように連結側板に取り付けられる天井板と、
前記複数の連結側板で囲まれる空間の下部を閉塞するように連結側板に取り付けられる床板と
を有することを特徴とするセキュリティルーム。
【請求項２】
前記天井板と床板は、それぞれ一部がラックの上端部および下端部に取り付けられるように構成される
ことを特徴とする請求項１記載のセキュリティルーム。
【請求項３】
前記連結側板に形成されるかまたは連結側板の代わりに設けられ、当該セキュリティルーム内に出入りするための扉と、
セキュリティ対象物の前面側にアクセスし得るようにラックの一方の側と連結側板との間に形成された前面アクセススペースと、
セキュリティ対象物の背面側にアクセスし得るようにラックの前記一方の側と反対の他方の側と連結側板との間に形成された背面アクセススペースと
を有することを特徴とする請求項１または２記載のセキュリティルーム。
【請求項４】
前記扉を内側扉とし、この内側扉に連結して当該セキュリティルーム外側に形成され、内側扉を一辺として連結側板で囲まれて形成された出入り用空間と、
この出入り用空間を形成する連結側板に形成されるかまたは連結側板の代わりに設けられ、出入り用空間に外部から出入りするための外側扉と、
出入り用空間の上部を閉塞するように連結側板に取り付けられる天井板と、
出入り用空間の下部を閉塞するように連結側板の下端部に取り付けられ床板とを有し、これにより出入り用前室を構成することを特徴とする請求項３記載のセキュリティルーム。
【請求項５】
前記床板の下に設けられ、前記床板が固定的に取り付けられるとともに、当該セキュリティルームを建物室内の床または二重床に固定するための台座を有することを特徴とする請求項１乃至４のいずれか１項に記載のセキュリティルーム。
【請求項６】
前記連結側板は、少なくとも１枚がラックを構成する複数の柱の一部に固定的に取り付けられることを特徴とする請求項１乃至５のいずれか１項に記載のセキュリティルーム。
【請求項７】
連結側板の下方寄りに取り付けられ、外部の空気を当該セキュリティルーム内に吸気するための吸気口と、
天井板または連結側板の上方寄りまたはラックの上部に取り付けられ、当該セキュリティルーム内の空気を外部に排気するための排気口と
を有することを特徴とする請求項１乃至６のいずれか１項に記載のセキュリティルーム。
【請求項８】
連結側板に取り付けられ、室内空間内を空調する空調手段を有することを特徴とする請求項１乃至７のいずれか１項に記載のセキュリティルーム。
【請求項９】
前記連結側板および天井板は、電磁遮蔽部材で構成され、各部材間の連結部分には電磁遮蔽テープを貼付し、必要により電磁遮蔽テープを含む連結部分を化粧パネルで覆うことを特徴とする請求項１乃至８のいずれか１項に記載のセキュリティルーム。
【請求項１０】
前記扉は、電磁遮蔽部材で構成されることを特徴とする請求項３乃至９のいずれか１項に記載のセキュリティルーム。
【請求項１１】
前記床板が電磁遮蔽部材で構成され、床板と連結側板との連結部分に電磁遮蔽テープを貼付し、必要により保護カバーを取り付けるか、またはセキュリティルームを設置する床面に電磁遮蔽シートを敷き、この電磁遮蔽シートの端部を連結側板の下端部上に重複するように折り曲げ、電磁遮蔽シートの端部と連結側板の下端部との境界部分に電磁遮蔽テープを貼付し、必要により保護カバーを取り付けることを特徴とする請求項９または１０記載のセキュリティルーム。
【請求項１２】
前記連結側板同士の取り付け、連結側板と天井板との取り付け、連結側板と床板との取り付け、天井板同士の取り付け、床板同士の取り付けが当該セキュリティルーム内部からの作業によってのみ可能であることを特徴とする請求項１乃至１１のいずれか１項に記載のセキュリティルーム。
【発明の詳細な説明】
【技術分野】
【０００１】
本発明は、セキュリティ対象物を収納して保護すべく建物の室内に独立して設置されるセキュリティルームに関し、更に詳しくは、例えば通信機器であるサーバやルータ、あるいはデータベース等のセキュリティ対象物を外部からの電磁波や侵入者から保護するために収納するセキュリティルームに関する。
【背景技術】
【０００２】
最近のデータセンタや通信機械室では、一事業者による運営ではなく、さまざまな事業者が同一のフロアを共有したり、他事業者へ貸し出しを行うコロケーションや、サーバラックを貸し出すホスティングといった事業形態をとり、フロアの運用を行う事例が増えている。
【０００３】
これまで一事業者が運営・管理していた場合、保守作業者の携帯する持ち物を管理することが容易であったが、携帯無線機器利用の広がりおよび電動工具の普及とともに、作業者が無意識に携帯電話や無線ＬＡＮなどを装着したＰＣを持ち込んだり、電磁波放射の大きい電動工具や同じくインパルス性の電磁ノイズが放射されるガス半田コテ等の点火器などを持ち込んだりするケースが増えてきている。
【０００４】
一方、サーバ等の機器は、ＣＩＳＰＲ２４やＩＴＵ−Ｔ  Ｋ４８で規定される電磁波に対する耐力を有しているが、それらの規格では、携帯機器の周波数である１ＧＨｚ以上の耐力が規定されていないばかりか、規定されている周波数の無線周波数であっても、携帯無線機器の直近での電磁波の強度に対応する耐力は規定されていない。
【０００５】
公共性の高いデータセンタや通信機械室では、高い信頼性やセキュリティが求められ、作業者が他事業者の機器に近づかない工夫が必要とされる。また、小型のスタンガンと呼ばれる静電気発生器などの購入が容易になり、意図的に電磁波によりサーバや通信装置を攻撃し機能停止や機能故障を起こす可能性が高まっている。
【０００６】
上記のようにサーバや通信装置を守る立場だけでなく、近年、それらの機器から出る不要放射の電波を遠隔地で受信し、信号を再生することで情報を盗むＴＥＭＰＥＳＴなどの情報漏えいに関する技術が広くインターネットなどで手に入れられるようになり、そういった不要放射を低減させる工夫も必要とされる。
【０００７】
また、一般のオフィス環境では、オフィス居住者は、無線ＬＡＮや携帯電話などを自由に使うことが求められる反面、同一フロアにサーバや通信装置を設置する場合、上記と同様のことが発生する。
【０００８】
従来、建物をシールドする場合、建物躯体工事の後に内装工事に先だって、電磁波シールド工事として、建物内壁全体を金属等の導電性材料で完全に取り囲む工事を施している。電磁波性能が３０ｄＢ程度以上のシールド工事では窓や扉などにも専用のシールド部材を必要とし、壁や天井の金属箔や金属メッシュと専用部材との取り合い部の電磁波シールドが難しく、試行錯誤的になることが多く、工期が長くなっていた。また、試行錯誤するにも建物内外で対向したアンテナによりシールド性能を評価する必要があるため２階以上の建物ではシールド性能を評価することが困難になっていた。さらに既設の建物を部分的にシールド工事を行うには、天井と壁などの取り合い部分のシールドがさらに難しくなり、建物内の配管や電灯、火災報知器などの凹凸や配線などによりシールド性能を保つのが困難であり、それらの凹凸、配線などを撤去新設すると工期、コスト面での問題があった。
【０００９】
また、建物内にシールドルームを作る場合、プレハブ式のパネル工法でのシールドルームがあるが、シールド性能を確認するための測定が困難であったり、既設建物壁の直近にシールドルーム壁面がくる場合、シールド性能を確認するための測定が困難である。そのような場合、所望のシールド性能を確保するためには、施工性が悪い半田付けや溶接、ネジ間ピッチを必要以上に密にしたネジ止め、あるいは高価な導電性ガスケットを多用する必要があり、工期、施工性、コストに問題があった。
【００１０】
また、単一または複数のサーバラックを電磁遮蔽する場合には、床パネル・壁パネル・天井パネルなどを組み合わせてサーバラックが内部に収容できる大きさのシールドルームを設置することが一般的である。しかし、シールドルーム内でサーバラックの据付作業を行い、さらにサーバやルータの実装や保守作業を行うために、その内部寸法はサーバラックに対し十分に余裕のあることが必要である上、パネルは一定の規格寸法のものから選定して組み合わせるため、どうしてもサーバラックの占めるスペースに比較して相当大きなものとなり、室全体のスペース利用効率を低下させていた。
【００１１】
また、シールドルームの天井パネルの重量を支え、かつ必要な耐震性を持たせるためには、各パネルを強固にするか、またはパネルとは別に柱材や梁材を併用してパネルを支える必要があり、部材寸法や部材重量が大きくなり、あるいは部材数が多くなるためコストが上がるのみならず、施工性の低下や床積載荷重制限による設置の制約などがあり容易に導入できない。
【００１２】
さらに、耐震性確保の為にシールドルームは室の床に強固に固定する必要があるが、一般にサーバラック設置室は二重床が使用されているため、床に固定するためには専用のアンカーボルトや架台を設けるなどの複雑な工事が必要であった。
【特許文献１】特開２００２−３４１９６２号公報
【特許文献２】特開平９−２８３９６６号公報
【特許文献３】特開２０００−１５１１７２号公報
【発明の開示】
【発明が解決しようとする課題】
【００１３】
上述したように、データセンタや通信欄機械室などに設置された例えばサーバやルータなどの通信機器は、保守作業者などの種々の人物の携帯物や工事などから発生する意図しない電磁放射や同じフロアなどに設置されている他の通信機器などからの電磁放射または悪意を持った人物による意図的な電磁放射を受けて、機能停止などの障害を発生する可能性があるという問題がある。
【００１４】
このような電磁放射による問題を回避するために、従来、建物または設置場所の部屋全体をシールドする方法もあるが、上述したように取り合い部の電磁波シールドが難しく、工期が長くなったり、２階以上の建物ではシールド性能の評価が困難であったり、建物内の凹凸や配線などによりシールド性能を保つことが困難であったり、凹凸や配線などを撤去して新設すると工期やコストがかかるという問題がある。
【００１５】
また、電磁放射による問題を回避するために、建物内にシールドルームを作る場合には、建物の壁の間近に設置することはシールド性能の確認などのためにも困難であり、所望のシールド性能を確保するために工期、施工性、コストに問題がある。
【００１６】
更に、従来のシールドルームは、通信機器の実装や保守作業などのためにかなり大きなスペースが必要となり、通信機器を搭載するラックの占めるスペースに比較して大きくなり、室全体のスペース利用効率を低下させるという問題がある。
【００１７】
従来のシールドルームは、天井パネルの重量の支持や耐震性の維持などのために部材の寸法、重量、数量の増大によりコストが増大するのみならず、施工性の低下、床積載荷重制限などによる設置の制約などがあり、容易に導入できなかったり、更には耐震性能の確保のために床に固定するための専用のアンカーボルトや架台を設けるなどの複雑な工事が必要であるという問題がある。
【００１８】
本発明は、上記に鑑みてなされたもので、その目的とするところは、小型化、軽量化、低価格化、設置場所との親和性の向上、施工性の向上、工期の短縮化、機器の取付、保守点検作業のやり易さの向上、セキュリティ性能や電磁遮蔽性能の向上を図ったセキュリティルームを提供することにある。
【課題を解決するための手段】
【００１９】
請求項１記載の本発明のセキュリティルームは、セキュリティ対象物を収納して保護すべく建物内に独立して設置されるセキュリティルームであって、セキュリティ対象物を収納可能に構成されると共に当該セキュリティルームの構造躯体の一部を構成するラックと、このラックの周囲全体を囲むように順次連結して取り付けられる複数の連結側板と、この複数の連結側板で囲まれる空間の上部を閉塞するように連結側板に取り付けられる天井板と、前記複数の連結側板で囲まれる空間の下部を閉塞するように連結側板に取り付けられる床板とを有することを要旨とする。
【００２０】
請求項２記載の本発明のセキュリティルームにおいては、前記天井板と床板は、それぞれ一部がラックの上端部および下端部に取り付けられるように構成されることを要旨とする。
【００２１】
請求項３記載の本発明のセキュリティルームは、前記連結側板に形成されるかまたは連結側板の代わりに設けられ、当該セキュリティルーム内に出入りするための扉と、セキュリティ対象物の前面側にアクセスし得るようにラックの一方の側と連結側板との間に形成された前面アクセススペースと、セキュリティ対象物の背面側にアクセスし得るようにラックの前記一方の側と反対の他方の側と連結側板との間に形成された背面アクセススペースとを有することを要旨とする。
【００２２】
請求項４記載の本発明のセキュリティルームは、前記扉を内側扉とし、この内側扉に連結して室内空間の外に形成され、内側扉を一辺として連結側板で囲まれて形成された出入り用空間と、この出入り用空間を形成する連結側板に形成されるかまたは連結側板の代わりに設けられ、出入り用空間に外部から出入りするための外側扉と、出入り用空間の上部を閉塞するように連結側板に取り付けられる天井板と、出入り用空間の下部を閉塞するように連結側板の下部端に取り付けられ床板とを有し、これにより出入り用前室を構成することを要旨とする。
【００２３】
請求項５記載の本発明のセキュリティルームは、前記床板の下に設けられ、前記床板が固定的に取り付けられるとともに、当該セキュリティルームを建物室内の床または二重床に固定するための台座を有することを要旨とする。
【００２４】
請求項６記載の本発明のセキュリティルームにおいては、前記連結側板は、少なくとも１枚がラックを構成する複数の柱の一部に固定的に取り付けられることを要旨とする。
【００２５】
請求項７記載の本発明のセキュリティルームは、連結側板の下方寄りに取り付けられ、外部の空気を当該セキュリティルーム内部に吸気するための吸気口と、天井板または連結側板の上方寄りまたはラックの上部に取り付けられ、当該セキュリティルーム内の空気を外部に排気するための排気口とを有することを要旨とする。
【００２６】
請求項８記載の本発明のセキュリティルームは、連結側板に取り付けられ、当該セキュリティルーム内の気温及び湿度を最適に調整する空調手段を有することを要旨とする。
【００２７】
請求項９記載の本発明のセキュリティルームは、前記連結側板および天井板は、電磁遮蔽部材で構成され、各部材間の連結部分には電磁遮蔽テープを貼付し、必要により電磁遮蔽テープを含む連結部分を化粧パネルで覆うことを要旨とする。
【００２８】
請求項１０の記載の本発明のセキュリティルームにおいては、前記扉は、電磁遮蔽部材で構成されることを要旨とする。
【００２９】
請求項１１記載の本発明のセキュリティルームは、前記床板が電磁遮蔽部材で構成され、床板と連結側板との連結部分に電磁遮蔽テープを貼付し、必要により保護カバーを取り付けるか、またはセキュリティルームを設置する床面に電磁遮蔽シートを敷き、この電磁遮蔽シートの端部を連結側板の下端部上に重複するように折り曲げ、電磁遮蔽シートの端部と連結側板の下端部との境界部分に電磁遮蔽テープを貼付し、必要により保護カバーを取り付けることを要旨とする。
【００３０】
請求項１２記載の本発明のセキュリティルームにおいては、前記連結側板同士の取り付け、連結側板と天井板との取り付け、連結側板と床板との取り付け、天井板同士の取り付け、床板同士の取り付けが、当該セキュリティルーム内部からのみ作業が可能で有るように構成されることを要旨とする。
【発明の効果】
【００３１】
本発明によれば、セキュリティ対象物を収納するラックの周囲を囲むように複数の連結側板を順次連結して取り付け、この連結側板で形成される空間の上部を閉塞するように連結側板に天井板を取り付け、空間の下部を閉塞するように連結側板に床板を取り付けて構成されるので、経済的にセキュリティルームを構成することができるだけでなく、連結側板、天井板、床板は互いに連結されて隙間のない一体的な箱形に形成され、これによりセキュリティ性能および耐震性を向上することができるとともに、工事の容易さ、短工期、低価格、小型化、軽量化、スペース利用効率の向上を達成することができる。
【００３２】
本発明によれば、天井坂と床板は一部がラックの上端部および下端部に取り付けられるので、耐震性およびセキュリティ性能を更に向上することができる。
【００３３】
本発明によれば、扉からセキュリティルーム室内に出入りし、前面アクセススペースからセキュリティ対象物の前面側にアクセスでき、背面アクセススペースからセキュリティ対象物の背面側にアクセスできるので、セキュリティ対象物のチェック、保守点検作業を容易に行うことができる。
【００３４】
本発明によれば、内側扉に連結してセキュリティルームの外に出入り用空間を形成し、この出入り用空間に外部から出入りするための外側扉を形成して出入り用前室を構成するので、外側扉から出入り用前室内に入って外側扉を閉じ、次に内側扉を開けて室内に入って内側扉を閉じることにより、室内空間およびセキュリティ対象物などが一瞬たりとも外部と直接連通するということがなく、セキュリティルーム内に入ることができ、セキュリティ性能を向上するのみでなく、後述することにより電磁遮蔽効果も著しく向上することができる。
【００３５】
本発明によれば、床板の下に台座を固定的に取り付け、この台座を利用してセキュリティルームを建物室内の床または二重床に固定するので、建物室内の床や二重床に対して確実に固定でき、耐震性を著しく向上することができる。
【００３６】
本発明によれば、連結側板は少なくとも１枚がラックの複数の柱に固定的に取り付けられるので、耐震性を更に向上することができる。
【００３７】
本発明によれば、連結側板の下方寄りに吸気口を取り付け、天井板または連結側板の上方寄りまたはラックの上部に排気口を取り付けるので、ラックに搭載したセキュリティ対象物からの発熱を外部に排出でき、セキュリティ対象物の温度上昇を防止することができる。
【００３８】
本発明によれば、連結側板に空調手段を取り付けるので、室内空間内の温度を所定の温度に設定でき、セキュリティ対象物の温度上昇を防止し、適確に動作させることができる。
【００３９】
本発明によれば、連結側板および天井板、更には扉を電磁遮蔽部材で構成し、各部材間の連結部分に電磁遮蔽テープを貼付し、必要により電磁遮蔽テープを含む連結部分を化粧パネルで覆うので、セキュリティルームを完全に電磁遮蔽でき、セキュリティ対象物からの電磁波の漏洩による情報漏洩、セキュリティ対象物に対する意図的な電磁波攻撃、携帯無線機や工具などのように強電磁界を発生する機器を所持する人物からの意図しないセキュリティ対象物に対する電磁波放射を適確に防止でき、セキュリティ対象物を完全に電磁遮蔽することができる。
【００４０】
本発明によれば、床板を電磁遮蔽部材で構成し、床板と連結側板との連結部分に電磁遮蔽テープを貼付し、必要により保護カバーを取り付けるかまたは床面に電磁遮蔽シートを敷き、この電磁遮蔽シートの端部を連結側板の下端部上に重複するように折り曲げ、電磁遮蔽シートの端部と連結側板の下端部との境界部分に電磁遮蔽テープを貼付し、必要により保護カバーを取り付けるので、床方向に対する電磁遮蔽も適確に行うことができる。
【００４１】
本発明によれば、連結側板同士の取り付け、連結側板と天井板との取り付け、連結側板と床板との取り付け、天井板同士の取り付け、床板同士の取り付けは、室内空間の外部からアクセスできないように室内空間内部で行われるので、外部から各部材を簡単に取り外すことができず、セキュリティ性能を向上することができる。
【発明を実施するための最良の形態】
【００４２】
本発明のセキュリティルームは、例えば通信機器であるサーバやルータなどのセキュリティ対象物を収納するラックの周囲を直にまたはスペースをあけて囲むように連結側板を複数順次連結して取り付け、この連結側板で囲まれた室内空間の上部を閉塞するように連結側板に天井板を取り付け、室内空間の下部を閉塞するように連結側板に床板を取り付けるとともに、更に連結側板で囲まれた室内空間に連結して外部に外側扉と内側扉のある出入り用前室を構成し、セキュリティ対象物の収納されているセキュリティルーム内に入るには、まず外側扉から出入り用前室内に入って外側扉を閉じ、次に内側扉を開けてセキュリティルーム室内に入って内側扉を閉じるため、室内空間内部およびセキュリティ対象物などが一瞬たりとも外部と直接連通するということがなく、セキュリティルーム内に入ることができ、電磁遮蔽効果およびセキュリティ性能を著しく向上することができる。
【実施例１】
【００４３】
図１は、本発明の実施例１に係わるセキュリティルームの構成を示す分解斜視図である。同図に示す実施例１のセキュリティルーム１は、例えばインターネットデータセンタ（ｉＤＣ）の機械室内や一般オフィスにおいてサーバやルータ等の通信機器であるセキュリティ対象物を設置する場合、電磁波による情報漏洩の防止および意図的な電磁波攻撃の防御、携帯無線機や工具などのように強電磁界を発生する機器を所持する人物からの意図しない電磁波放射からの防御を目的としてセキュリティ対象物を収納するための単一または複数のラックを電磁遮蔽するために建物から独立して室内に設置し、その内部にサーバラックを収容するものであるとともに、また電磁遮蔽を必ずしも目的とせずに、通信機器などのセキュリティ対象物を外部からの人物や侵入者などから保護する例えばバウルト（特別な個室）などを構成し得るものであり、建物の室内の床上に取り付けられる台座であるペデスタル３を有する。
【００４４】
このペデスタル３は、例えばボルトなどで建物室内の床や二重床などに取り付けられるが、このペデスタル３の上にはセキュリティルーム１の床を構成する床板５がボルトなどにより取り付けられている。なお、この床板５は、同図においては正方形の単位床板材を３枚連結して構成され、このように正方形の単位床板材を複数連結することにより任意の大きさのセキュリティルームを構成できるものであるが、この３枚分の長方形の大きさを有する１枚の床板材で構成されてもよい。なお、このように正方形の単位床板材を複数連結して１枚の所望の大きさの床板５を構成するための複数の単位床板材同士の連結は、各単位床板材の周端部には、例えばＬ字形やコの字形に折曲された取り付け部を形成し、この取り付け部を利用して各床板材同士をボルトなどで固定することにより行われる。
【００４５】
床板５の上には、具体的には３枚の正方形の床板材のうちの中央にある床板材の上に、通信機器などのセキュリティ対象物を収容するためのラック７がセキュリティルーム１の構造躯体としてボルトなどにより取り付けられるとともに、またこのラック７はボルトなどによりペデスタル３に取り付けられ、ペデスタル３が建物の室内の床や二重床などに固定されるようになっている。
【００４６】
このラック７は、規格化された標準サイズのラックであり、同図においてＬ１，Ｌ２で示す標準ラック長を有し、また高さも所定の高さのものである。また、このラック７は、４本の立柱とこの４本の立柱を支持するように各立柱間に横方向に取り付けられた複数の横部材から構成されている。
【００４７】
また、床板５の周端部には、複数の連結側板９が立設してラック７の周囲を直にまたはスペースをあけて囲むように順次連結して取り付けられている。なお、図１では、連結側板９は、３枚のみが床板５の長手方向の両端と同図で手前側の左部分に取り付けられるように示されているが、ラック７の周囲を全体的に取り囲むように床板５の周端部に沿って複数枚、具体的には同図の場合には８枚の連結側板９が取り付けられるものである。この床板５の周端部に対する連結側板９の取り付けは、連結側板９の下端部を床板５の周端部にボルトなどにより取り付けるように行われる。具体的には、連結側板９の下端部および床板５の周端部には、例えばＬ字形やコの字形に折曲された取り付け部が形成されていて、両者の取り付け部をボルトなどで固定することにより連結側板９の下端部を床板５の周端部に取り付けるようになっている。
【００４８】
このように床板５の周端部に下端部を取り付けられた複数の連結側板９でラック７の周囲を直にまたはスペースをあけて全体的に取り囲んで形成される空間を室内空間と称することにするが、この室内空間の上部を閉塞するように天井板１１が連結側板９の上端部にボルトなどにより取り付けられている。なお、天井板１１も床板５と同様に複数の単位天井板材を連結して構成されたり、また例えばセキュリティルームの大きさに相当する１枚の天井板１１で構成されてもよいが、複数の単位天井板材を連結して天井板１１を構成することにより、任意の大きさのセキュリティルームに対応できる。なお、このように単位天井板材を連結して１枚の所望の大きさの天井板１１を構成するための複数の単位天井板材同士の連結は、各単位天井板材の周端部には、例えばＬ字形やコの字形に折曲された取り付け部を形成し、この取り付け部を利用して各天井板材同士をボルトなどで固定することにより行われる。なお、天井板１１の周囲および長手方向を横切った一部と、連結側板９の上端部および下端郡には、補強やボルトの取付などのために部材が取り付けられている。また、ラック７は、その上端部が天井板１１に固定的に取り付けられ、下端部が床板５を介してペデスタル３にボルトなどにより固定的に取り付けられている。
【００４９】
以上のように構成されるセキュリティルーム１を上方から断面として見るとともに、前記室内空間に出入りするための扉を前面側の２枚の連結側板９に形成するかまたはこの２枚の連結側板９の代わりに設けた図が図２に示されている。
【００５０】
図２に示すように、ラック７の左右にはそれぞれスペースが形成されているが、このスペースである室内空間に出入りするための２枚の扉１３がこの部分の連結側板９に形成されるかまたはこの連結側板９の代わりに設けられている。また、図２では、斜線を施して示すように、ラック７に例えば通信機器であるルータやサーバなどのセキュリティ対象物１５が収納されていることが図示されている。
【００５１】
図２において、左側の扉１３からセキュリティルーム１内に入ったセキュリティルーム１内の室内空間、すなわち左端の連結側板９とラック７の左側との間に形成された空間は、セキュリティ対象物１５の前面側にアクセスするための前面アクセススペースであり、また右側の扉１３からセキュリティルーム１内に入ったセキュリティルーム１内の室内空間、すなわち右端の連結側板９とラック７の右側との間に形成された空間は、セキュリティ対象物１５の背面側にアクセスするための背面アクセススペースである。
【００５２】
左側の扉１３からセキュリティルーム１内に入った例えば作業者は、ラック７に搭載されたセキュリティ対象物１５の前面に対して前面アクセススペースからアクセスでき、その動作チェックや交換などを行うことができ、また右側の扉１３からセキュリティルーム１内に入った作業者は、ラック７に搭載されたセキュリティ対象物１５の背面に対して背面アクセススペースからアクセスでき、セキュリティ対象物１５の背面の配線などをチェックすることができる。
【実施例２】
【００５３】
図３は、本発明の実施例２に係わるセキュリティルームの構成を示す断面図である。同図に示すセキュリティルーム１０は、前記実施例１のセキュリティルーム１に比較して、ラック７を２個設け、これに比例してその分、セキュリティルーム１０を大きくし、またセキュリティルーム１０で構成される室内空間に出入りするための扉１６を１枚設けたものであり、このように構成されるセキュリティルーム１０を構成するペデスタル３、床板５、ラック７、連結側板９、天井板１１の構成およびその取り付けや連結は、実施例１と同じであり、単に各部材の数が増えただけである。
【００５４】
すなわち、実施例２のセキュリティルーム１０は、２個のラック７を図３では縦方同の上下に並べて配置し、これらのラック７に複数のセキュリティ対象物１５を収納し、この左側において連結側板９とラック７との間にセキュリティ対象物１５の前面への前面アクセススペースを形成し、右側においてラック７と連結側板９との間にセキュリティ対象物１５の背面への背面アクセススペースを形成し、また扉１６から入った室内空間内にセキュリティ対象物１５の前後の前面アクセススペースと背面アクセススペースに通じる通路を矢印３０１で示すように形成している。
【００５５】
このような構成のセキュリティルーム１０を形成するために、このセキュリティルーム１０の室内空間の広さに相当する大きさに床板５を配置してペデスタル３（後述する図４に示す）の上にボルトなどで取り付け、このように配置された床板５の周端部の全体にわたって連結側板９の下端部を床板５の周端部に上述したようにボルトなどで取り付けながら、２個のラック７を一部、直に、その他では前面アクセススペース、背面アクセススペース、通路などを構成するためのスペースをあけて全体的に囲むように順次連結して取り付け、このように取り付けられた複数の連結側板９により全体的に囲んでセキュリティルーム１０の室内空間を構成する。なお、セキュリティルーム１０の室内空間に大きさの床板５は、実施例１で説明したように、複数の単位床板材を互いに連結して構成してもよいことは勿論のこと、この方が種々の大きさのセキュリティルームに対応し得る点や在庫管理、経済性、施工性などの点から好ましいものである。
【００５６】
また、このセキュリティルーム１０の室内空間の上部を閉塞するように各連結側板９の上端部に天井板１１の端部を上述したようにボルトなどにより取り付ける。なお、この天井板１１は、上述したように単位天井板材を複数の互いに連結して構成することが望ましいものであることは勿論である。また、２個のラック７は、その上端部が天井板１１にボルトなどにより固定的に取り付けられ、下端部が床板５を介してペデスタル３にボルトなどにより固定的に取り付けられている。
【００５７】
また、上述したように、セキュリティルーム１０の室内空間を全体的に囲むように連結して取り付けられた複数の連結側板９の１枚には、扉１６形成されるかまたはこの連結側板９の代わりに扉１６が取り付けられる。
【００５８】
図４（ａ）、（ｂ）は、図Ｂの実施例２のセキュリティルーム１０を側部から見た断面図である。同図（ａ）は、図３において（イ）の場所に人物がいる状態のセキュリティルーム１０を矢印１０１で示すように左側から見た断面図であり、同図（ｂ）は、図３において（ロ）の場所に人物がいる状態のセキュリティルーム１０を矢印１０２で示す方向から見た断面図である。
【００５９】
図４に示すセキュリティルーム１０は、建物の床２１の上に複数の支柱２３ａで支持された二重床２３の上に配置されている。これは、セキュリティルーム１０を構成する一番下側のペデスタル３をボルトなどにより二重床２３に固定的に取り付けることによりセキュリティルーム１０が二重床２３上に固定される。また、この二重床２３と建物の床２１との間には、ラック７に搭載された複数のセキュリティ対象物１５からのケーブルが収納される矩形のケーブル収納部材２５が複数のラック７に沿って配設されている。
【実施例３】
【００６０】
図５は、本発明の実施例３に係わるセキュリティルームの構成を示す断面図である。同図に示す実施例３のセキュリティルーム２０は、実施例２のセキュリティルーム１０対して前記通路の前側に出入り用前室３１を設けた点が大きく異なるものである。
【００６１】
更に詳しくは、本実施例３のセキュリティルーム２０は、実施例２のセキュリティルーム１０において扉１６およびこの扉１６の左側の連結側板９を除去し、代わりにこの除去した扉１６の前側に内側扉３５、外側扉３３および両扉を連結して矩形の前室空間を形成する２枚の連結側板９で構成される出入り用前室３１を形成し、更に前記除去した連結側板９の前側にＬ字形に２枚の連結側板９を取り付けてセキュリティルーム２０の室内空間を形成し、また外側扉３３の外側に補強などのために連結側板９を設けて構成されるものである。なお、この最後に記載した補強などのための連結側板９は無くてもよいものである。
【００６２】
このように構成される外側扉３３、内側扉３５を有する出入り用前室３１の形成されたセキュリティルーム２０においては、人物がセキュリティルーム１０の室内空間内に入る場合には、まず出入り用前室３１の外側扉３３と内側扉３５が閉じられている状態において、図５で矢印１０３で示すように、外側扉３３を開けて、出入り用前室３１内に入ってから、外側扉３３を閉じる。それから、内側扉３５を開けて、矢印１０５で示すように、セキュリティルーム２０の室内空間内に入ってから内側扉３５を閉じるというようにセキュリティルーム２０内に入ることにより、セキュリティルーム２０の室内空間、ひいてはこの空間内に収納されているセキュリティ対象物１５などが一瞬たりとも外部と直接連通するということがなく、セキュリティルーム２０内に入ることができるのである。
【００６３】
また、逆にセキュリティルーム２０から外部に出る場合には、出入り用前室３１の外側扉３３と内側扉３５が閉じられている状態において、まず内側扉３５を開けて、図５で矢印１０５と逆方向に進んで出入り用前室３１内に入ってから、内側扉３５を閉じる。それから、外側扉３３を開けて、図５で矢印１０３と逆方向に進んで外部に出てから、外側扉３３を閉じるというようにセキュリティルーム２０から出ることにより、同様にセキュリティルーム２０の室内空間、ひいてはこの空間内に収納されているセキュリティ対象物１５などが一瞬たりとも外部と直接連通するということがなく、セキュリティルーム２０内に入ることができるのである。
【００６４】
これは、後述するように、セキュリティルーム２０を構成する連結側板９、天井板１１、内側扉３５、外側扉３３をすべて、例えば鉄、アルミニウム、銅、ニッケルなどのような電磁遮蔽部材で構成することによりセキュリティルーム２０を電磁遮蔽ルーム、すなわちシールドセキュリティルームとして構成できる。このようにセキュリティルーム２０をシールドセキュリティルームとして構成した場合に、上述したように、内側扉３５と外側扉３３を有する出入り用前室３１を設けることにより、セキュリティルーム２０の室内空間内に人物が出入りする場合でも、内部に収納したセキュリティ対象物１５などが直接外部に連通することがなく、従ってセキュリティ対象物１５が外部からの電磁放射の影響を受けることがないのである。
【実施例４】
【００６５】
図６は、本発明の実施例４に係わるセキュリティルームの構成を示す側面図である。図６に示す実施例３のセキュリティルーム３０は、図５に示した実施例３のセキュリティルーム２０に対して外部の空気を室内空間内に吸引するための吸気口４１，４３を連結側板９の下方寄りに取り付けるとともに、室内空間内の空気を外部に排気するための排気口４５，４７を天井板１１または連結側板９の上方寄りまたはラック７の上部に取り付けた点が異なるものであり、その他の構成および作用は図５の実施例３と同じであり、同じ構成要素には同じ符号を付している。なお、図６（ｂ）は、図６（ａ）を側部から見た場合の側面図である。
【００６６】
なお、吸気口４１，４３および排気口４５，４７は、例えばファンを用いて構成され、所望のシールド性能と通風性能によりエキスパンドメタル、パンチングメタル、ハニカムメタルなどを使用して構成される。吸気口４１，４３により矢印１１１で示すように外部の空気がセキュリティルーム３０の内部に吸引され、セキュリティルーム３０の内部の空気は排気口４５，４７から矢印１１２で示すように外部に排気される。
【００６７】
また、吸気口４１，４３は、予め連結側板９の下方寄りの部分に組み込んで取り付けておくとともに、また排気口４５も、予め天井板１１または連結側板９の上方寄りまたはラック７の上部に組み込んで取り付けておくことにより、現場工事を低減するとともに、現場工事によるシールド性能の劣化を防止することができる。
【実施例５】
【００６８】
図７は、本発明の実施例５に係わるセキュリティルームの構成を示す側面図である。同図に示す実施例５のセキュリティルーム４０は、図６に示した実施例４のセキュリティルーム３０において吸気口４１，４３を除去し、その代わりに空調機５１，５３を取り付けた点が異なるのみであり、その他の構成および作用は同じである。
【００６９】
このように空調機５１，５３をセキュリティルーム４０に取り付けることにより、セキュリティルーム４０内の空気の温度及び湿度が最適となるように調整することができ、セキュリティ対象物１５である例えばサーバやルータなどの機器を常により最適に環境下で作動させることができる。
【００７０】
上記各実施例１〜５において、上述したように、セキュリティルーム１，１０，２０，３０，４０を構成する連結側板９、天井板１１、内側扉３５、外側扉３３をすべて、例えば鉄、アルミニウム、銅、ニッケルなどのような電磁遮蔽部材で構成することによりセキュリティルームを電磁遮蔽機能を備えたシールドセキュリティルームとして構成でき、セキュリティルーム内のラック７に収納した例えばサーバやルータなどの通信機器などであるセキュリティ対象物１５が外部からの電磁放射の影響を受けることがないとともに、またセキュリティ対象物１５からの電磁放射が外部に漏出することもない。
【００７１】
すなわち、上述したようにシールドセキュリティルームとして構成されるセキュリティルーム内にセキュリティ対象物１５を収納することにより、セキュリティ対象物１５からの電磁波による情報漏洩の防止およびセキュリティ対象物１５に対する意図的な電磁波攻撃の防御、携帯無線機や工具などのように強電磁界を発生する機器を所持する人物からの意図しない電磁波放射からの防御を適確に実施することができるのである。しかしながら、上記各セキュリティルームは、電磁シールドを目的としたシールドセキュリティルームとして機能するだけでなく、内部に収納したセキュリティ対象物１５を外部からの人物や侵入者などから保護する例えばバウルト（特別な個室）などとしても構成し得るものである。なお、これは、例えば各扉に鍵などを設けることにより、更に完全なセキュリティを得ることができるが、このような鍵として例えば指紋認証鍵などを装備することにより更にセキュリティ性能を向上することができる。
【００７２】
次に、図８〜図１３を参照して、上記各実施例のセキュリティルームにおける各部の構造や取り付けなどについて詳しく説明する。
【００７３】
図８は、連結側板を端部同士で連結する場合の連結部の構造を示す断面図である。同図に示すように、連結側板９は、端部がコの字形に連続して２回折りたたまれた取付部をもって形成され、これにより連結側板９を補強するとともに、連結側板９同士の連結を容易にしている。
【００７４】
従って、このような取付部を端部に有する２枚の連結側板９を互いに連結する場合には、各連結側板９の取付部同士を近接させ、両取付部の間に図示のようにスペーサ６２を挟んでからボルト６１で両取付部を固定する。なお、スペーサ６２の代わりにガスケットを用いてもよい。
【００７５】
それから、このようにボルト６１で固定された両取付部のスペーサ６２の挟まれた隙間や部材の歪や立付けなどの歪による隙間に電磁遮蔽部材からなる金属テープ６３を貼付し、この隙間から電磁波が漏入したり、漏出しないように電磁遮蔽し、これにより連結した連結側板９を連続した金属体とみなす構造とする。すなわち、高周波では、直流的に不連続であっても、両連結側板９および金属テープ６３で構成されるコンデンサにより高周波的にインピーダンスを下げることにより連続した金属体と見なせ、電磁遮蔽効果を確保することができる。なお、金属テープ６３としては、布状のものを用いて構造体の振動によるテープ面の破断を防止することもできる。
【００７６】
更に、両連結側板９の隙間に貼付された金属テープ６３の上に化粧パネル６４を図示のように取り付けることにより、金属テープ６３および連結部を保護することにより、電磁遮蔽性能の劣化を防止することができる。なお、連結側板９が鉄板で形成されている場合には、化粧パネル６４の取り付けにマグネットなどを用いて施工性を向上することができる。
【００７７】
図９は、天井板として強度を増大するために波板状の天井板を使用した場合の端部の処理を示す斜視図である。
【００７８】
天井板１１が波板状に形成されている場合には、その端部も波状になっていて、例えば連結時に電磁遮蔽材からなる金属テープなどを密接して貼付しにくいので、図９（ａ）に示すような断面がＬ字形のエンドプレート６６を設け、このエンドプレート６６を図９（ｂ）に示すように波板状の天井板１１の端部に予めねじ止めや接着などにより取り付ける。このようにエンドプレート６６を端部に取り付けることにより、天井板１１同士を連結した場合に、この連結部の金属テープを密着して貼付することが容易になる。なお、このような端部処理は波板状の天井板１１に適用し得るだけでなく、波板状でない天井板１１にも同様に適用し得るものである。
【００７９】
図１０は、天井板の側部方向の端部に側面エンドプレートを取り付ける様子を示す斜視図である。
【００８０】
天井板１１の側部方向の端部に図１０（ｂ）に示すような平らな側面エンドプレート６７を図１０（ａ）に示すように予めねじ止めや接着などにより取り付ける。このように側面エンドプレート６７を天井板１１の側部方向の端部に取り付けることにより、天井板１１同士を側部方向で連結した場合に、この連結部に電磁遮蔽材からなる金属テープを密着して貼付することが容易になる。
【００８１】
図１１は、連結側板９の上下両端部にそれぞれ上部プレートおよび下部プレートを取り付ける様子を示す斜視図である。
【００８２】
図１１（ｂ）および先に説明した図８に示すように、端部がコの字形に連続して２回折りたたまれた取付部をもって形成される連結側板９の上端部および下端部のそれぞれに電磁遮蔽材からなる金属テープを密着して貼付しやすくするために、連結側板９の上端部に図１１（ａ）に示すような断面がＬ字形の上部プレート６９を図１１（ｄ）のように取り付け、また連結側板９の下端部に図１１（ｃ）に示すような断面が連続した２段のＬ字形に形成された下部プレート７１を図１１（ｄ）に示すように取り付ける。
【００８３】
このように上部プレート６９および下部プレート７１を連結側板９の上下両端部に取り付けることにより、連結側板９を天井板１１や床板５に取り付けた場合に連結側板９と天井板１１との取付部や連結側板９と床板５との取付部を平らに構成することができ、電磁遮蔽材からなる金属テープを密着して貼付することが容易になる。
【００８４】
図１２は、セキュリティルームを建物の床の上に設置する場合に建物の床上に敷かれた電磁遮蔽材からなる金属シートの端部を連結側板の方に折り曲げて金属テープで結合し、連結側板と床部分の電磁遮蔽性能を確保する様子を示す図である。
【００８５】
図１２（ａ）に示すように、連結側板９としては図１１（ｄ）のように上下両端部に上部プレート６９および下部プレート７１の取り付けられた連結側板９を使用する。また、セキュリティルームを設置する建物の床２１の上には電磁遮蔽
材からなる金属シート７５を敷く。
【００８６】
それから、図１２（ｃ）に示すような断面がコの字形の基礎チャネル７４を図１２（ｅ）に示すように連結側板９の下端部の下部プレート７１の下にねじ止めなどで固定的に取り付け、これを建物の床２１の上に敷かれた金属シート７５の上に設置する。そして、このように連結側板９に取り付けられた基礎チャネル７４が設置された金属シート７５のセキュリティルームからはみ出た短い端を図１２（ｅ）において符号７５ａで示すように上方に折り曲げ、基礎チャネル７４に添わせる。それから、この折り曲げられた金属シート７５の短い端部７５ａと下部プレート７１との境目に電磁遮蔽材からなる金属テープ７６を貼付し、これにより連結側板９と床に敷いた金属シート７５との間の電磁遮蔽性能も確保することができる。
【００８７】
更に、図１２（ｂ）に示すような断面がＬ字形の保護カバー７３を金属テープ７６の上から下部プレート７１の角部、基礎チャネル７４の立上がり部も含んで覆うように取り付けることにより、金属テープ７６を保護するとともに、電磁遮蔽性能を補強することができる。
【００８８】
なお、連結側板９の下端部の下部プレート７１と基礎チャネル７４とのねじ止めなどによる取り付けは、連結側板９の内側、すなわち連結側板９のセキュリティルーム内に入っている内側において下部プレート７１と基礎チャネル７４とをねじ止めなどで取り付けることにより、電磁遮蔽性能を劣化させずに行なうことができる。
【００８９】
また、建物の床２１上に金属シート７５を敷くことにより、建物の床２１に凹凸がある場合でも、このような凹凸の上に金属シート７５を敷くことにより、建物の床面上に連続した電磁遮蔽面を形成でき、電磁遮蔽性能を向上することができる。
【００９０】
図１３は、連結側板と天井板との連結部分を示す図である。この連結側板９としては図１１（ｄ）のように上下両端部に上部プレート６９および下部プレート７１の取り付けられた連結側板９を使用し、また天井板１１としては図９（ｂ）に示すように端部にエンドプレート６６の取り付けられた天井板１１を使用する。そして、この連結側板９に対する天井板１１の連結は、連結側板９の上部プレート６９と天井板１１のエンドプレート６６を利用する。
【００９１】
すなわち、図１３（ａ）に示すように上端部に上部プレート６９の取り付けられた連結側板９に対して図１３（ｂ）に示すようにエンドプレート６６の取り付けられた天井板１１を連結するために、図１３（ｃ）に示すように連結側板９の上部プレート６９と天井板１１のエンドプレート６６を合わせる。それから、一点鎖線で示すように上部プレート６９とエンドプレート６６を貫いてねじ止めを行い、両者を固定する。なお、このねじ止めは、セキュリティルームの内側にある上部プレート６９とエンドプレート６６の筒所において行うことにより電磁遮蔽性能を劣化させることなく行うことができる。
【００９２】
また、上部プレート６９とエンドプレート６６との間の境目には電磁遮蔽材からなる金属テープ７８を貼付して電磁遮蔽し、電磁遮蔽性能を確保する。
【００９３】
上述した各実施例１〜５においては、連結側板９、天井板１１、扉１３を電磁遮蔽部材で構成し、各部材間の連結部分に電磁遮蔽テープである金属テープを貼付し、必要により金属テープを含む連結部分を化粧パネルや保護パネルで覆うことにより、セキュリティルームを完全に電磁遮蔽でき、セキュリティ対象物からの電磁波の漏洩による情報漏洩、セキュリティ対象物に対する意図的な電磁波攻撃、携帯無線機や工具などのように強電磁界を発生する機器を所持する人物からの意図しないセキュリティ対象物に対する電磁波放射を適確に防止でき、セキュリティ対象物を完全に電磁遮蔽することができる。
【００９４】
また、上記各実施例では、床板５を電磁遮蔽部材で構成し、床板５と連結側板９との連結部分に電磁遮蔽テープである金属テープを貼付し、必要により化粧パネルや保護カバーを取り付けるかまたは床面５に電磁遮蔽シートである金属シートを敷き、この金属シートの端部を連結側板９の下端部上に重複するように折り曲げ、金属シートの端部と連結側板９の下端部との境界部分に電磁遮蔽テープである金属テープを貼付し、必要により保証カバーを取り付けるので、床方向に対する電磁遮蔽も適確に行うことができる。
【００９５】
更に、上記各実施例では、連結側板９同士の取り付け、連結側板９と天井板１１との取り付け、連結側板９と床板５との取り付け、天井板１１同士の取り付け、床板５同士の取り付けは、室内空間の外部からアクセスできないように室内空間内部で行われ、外部から各部材を簡単に取り外すことができないようになっていて、セキュリティ性能を向上している。
【００９６】
図１４は、上述した各実施例のセキュリティルームの周波数に対する電磁遮蔽効果を示すグラフである。
【００９７】
この電磁遮蔽効果を示すグラフは、セキュリティルームを電波暗室内でＩＥＥＥ−ＳＴＤ  ２９９の測定法に準じた評価を実施した結果を示しているものである。同図の電磁遮蔽効果を示すグラフから、本発明のセキュリティルームは、１０ＭＨｚ〜１０ＧＨｚの周波数範囲において５０Ｄｂ以上の電磁遮蔽性能を確保できることがわかる。
【００９８】
図１５は、上述した各実施例のセキュリティルームの全周方向における電磁遮蔽効果の偏差を示すグラフであり、円周方同にセキュリティルームを各方向から見た０〜１８０度と０〜−１８０度の角度を示し、半径方同に０〜−１０ｄＢの偏差を示している。
【００９９】
この電磁遮蔽効果の偏差を示すグラフは、セキュリティルームを電波暗室内でＩＥＥＥ−ＳＴＤ  ２９９の測定法に準じた評価を実施した結果を示しているものである。同図の電磁遮蔽効果の偏差を示すグラフから、本発明の電界検出光学装置は、３６０度の全周において４ｄＢ以内の偏差に収まることが確認され、電磁遮蔽性能が部位により劣化せず、施工により保障されることがわかる。
【図面の簡単な説明】
【０１００】
【図１】本発明の実施例１に係わるセキュリティルームの構成を示す分解斜視図である。
【図２】図１に示すセキュリティルームに２枚の扉をつけた断面図である。
【図３】本発明の実施例２に係わるセキュリティルームの構成を示す断面図である。
【図４】図ａの実施例２のセキュリティルームを側部から見た断面図である。
【図５】本発明の実施例３に係わるセキュリティルームの構成を示す断面図である。
【図６】本発明の実施例４に係わるセキュリティルームの構成を示す側面図である。
【図７】本発明の実施例５に係わるセキュリティルームの構成を示す側面図である。
【図８】上記各実施例における連結側板を端部同士で連結する場合の連結部の構造を示す断面図である。
【図９】上記各実施例における天井板として強度を増大するために波板状の天井板を使用した場合の端部の処理を示す斜視図である。
【図１０】上記各実施例における天井板の側部方向の端部に側面エンドプレートを取り付ける様子を示す斜視図である。
【図１１】上記各実施例における連結側板の上下両端部にそれぞれ上部プレートおよび下部プレートを取り付ける様子を示す斜視図である。
【図１２】上記各実施例のセキュリティルームを建物の床の上に設置する場合に建物の床上に敷かれた電磁遮蔽材からなる金属シートの端部を連結側板の方に折り曲げて金属テープで結合し、連結側板と床部分の電磁遮蔽性能を確保する様子を示す図である。
【図１３】上記各実施例における連結側板と天井板との連結部分を示す図である。
【図１４】上記各実施例のセキュリティルームの周波数に対する電磁遮蔽効果を示すグラフである。
【図１５】上記各実施例のセキュリティルームの全周方向における電磁遮蔽効果の偏差を示すグラフである。
【符号の説明】
【０１０１】
１，１０，２０，３０，４０…セキュリティルーム
３…ペデスタル
５…床板
７…ラック
９…連結側板
１１…天井板
１３，１６…扉
１５…セキュリティ対象物
２１…建物の床２１
２３…二重床
３１…出入り用前室
３３…外側扉
３５…内側扉
４１，４３…吸気口
４５，４７…排気口
５１，５３…空調機
６３，７８…金属テープ
６４…化粧パネル
７５…金属シート
７３…保護カバー
【図１】
2005076328.tif 000003
【図２】
2005076328.tif 000004
【図３】
2005076328.tif 000005
【図４】
2005076328.tif 000006
【図５】
2005076328.tif 000007
【図６】
2005076328.tif 000008
【図７】
2005076328.tif 000009
【図８】
2005076328.tif 000010
【図９】
2005076328.tif 000011
【図１０】
2005076328.tif 000012
【図１１】
2005076328.tif 000013
【図１２】
2005076328.tif 000014
【図１３】
2005076328.tif 000015
【図１４】
2005076328.tif 000016
【図１５】
2005076328.tif 000017